(57)【要約】【課題】  従来の回折格子とは大きく異なる視覚効果を有し、より高い偽造防止効果を発揮させることにある。【解決手段】  光透過層１１と、この光透過層１１の一方の面上に設けられ、方向の揃った複数の直線状の凹部又は凸部からなる凹凸構造を有するランダムに配置された複数の構造領域１２と、この複数の構造領域の少なくとも一部に設けられた光反射層１３とを備え、前記凹部の底面又は凸部の上面に前記光透過層面と略平行であり、前記複数の直線状の凹部又は凸部における隣接する凹部間又は凸部間は複数の間隔を有し、  少なくとも一部の構造領域同士において、前記各構造領域内の凹凸構造の複数の間隔の平均値及び標準偏差の少なくとも一方を異ならせて、観察角度又は入射光の入射角度を変えることで異なる画像を表示可能にする画像表示体である。【選択図】図１１
2013205640.tif 000002
【特許請求の範囲】
【請求項１】
光透過層と、この光透過層の一方の面上に設けられ、方向の揃った複数の直線状の凹部又は凸部からなる凹凸構造を有する複数の構造領域と、この複数の構造領域の少なくとも一部に設けられた光反射層とを備え、
前記凹部の底面又は凸部の上面に前記光透過層面と略平行であり、
前記複数の直線状の凹部又は凸部における隣接する凹部間又は凸部間は複数の間隔を有し、
少なくとも一部の構造領域同士において、
前記各構造領域内の凹凸構造の複数の間隔の平均値及び標準偏差の少なくとも一方を異ならせて、観察角度又は入射光の入射角度を変えることで異なる画像を表示可能にすることを特徴とする画像表示体。
【請求項２】
前記各構造領域内の少なくとも一部において、
前記凹凸構造の凸部の高さ又は凹部の深さを異ならせることにより、入射光に対して強弱をもった色の複数の回折光を射出することを特徴とする請求項１に記載の画像表示体。
【請求項３】
少なくとも一部の前記構造領域同士において、
前記凹凸構造の凸部の高さ又は凹部の深さの前記各構造領域における平均値が異ならせることで、入射光に対して異なる明るさ（階調）をもった回折光を射出することを特徴とする請求項２に記載の画像表示体。
【請求項４】
前記各構造領域内における前記凹凸構造を形成する凸部の高さ又は凹部の深さを同一にすることで、特定の色を表現する回折光を射出することを特徴とする請求項１に記載の画像表示体。
【請求項５】
少なくとも一部の前記構造領域同士において、
前記凹凸構造の凸部の高さ又は凹部の深さが異なることを特徴とする請求項４に記載の画像表示体。
【請求項６】
少なくとも一部の前記構造領域同士において、
前記各構造領域に備えてある複数の直線状の凹部又は凸部の方向を異ならせて、観察角度又は入射光の入射角度を変えることで異なる画像を表示することを特徴とする請求項１乃至請求項５の何れか一項に記載の画像表示体。
【請求項７】
前記複数の直線状の凹部又は凸部は計算機ホログラムとしての複数の溝又は筋であることを特徴とする請求項１乃至請求項６の何れか一項に記載の画像表示体。
【請求項８】
前記複数の構造領域の配置形状によって表示される画像が複数存在する場合、
個々の画像は、前記凹凸構造の間隔の平均値及び標準偏差が同一である前記複数の構造領域で構成し、
別個の画像同士では、前記複数の構造領域を構成する凹凸構造の間隔の平均値又は標準偏差の少なくとも一方を異ならせることにより、
異なる画像を表示することを特徴とする請求項１乃至請求項７の何れか一項に記載の画像表示体
【請求項９】
請求項１乃至請求項８の何れか一項に記載された構成の画像表示体と、この画像表示体が一部の領域に支持される物品とを具備したことを特徴とする情報媒体。
【発明の詳細な説明】
【技術分野】
【０００１】
本発明は、肉眼で真偽判定可能なセキュリティ性の高い偽造防止機能を備えた画像表示体及び情報媒体に関する。
【背景技術】
【０００２】
一般に、商品券及び小切手などの有価証券類、クレジットカード、キャッシュカード及びＩＤカードなどのカード類、並びにパスポート及び免許証などの証明書類には、それらの偽造を防止するために、通常の印刷物とは異なる視覚効果を有する表示体が貼り付けられている。また、近年、これら以外の物品についても、偽造品の流通が社会的な問題となっている。そのため、そのような物品に対しても、同様の偽造防止技術を適用する機会が増えてきている。
【０００３】
ところで、通常の印刷物とは異なる視覚効果を有する表示体としては、複数の溝を並べてなる回折格子を含んだ表示体が知られている。この表示体には、例えば、観察条件に応じて変化する像を表示させるとか、立体像を表示させることができる。また、回折格子が表現する虹色に輝く分光色は、通常の印刷技術では表現することができない。そのため、回折格子を含んだ表示体は、偽造防止対策が必要な物品に広く用いられている。
【０００４】
例えば、偽造防止対策用に使用する表示体としては、溝の長さ方向又は格子定数（即ち溝のピッチ）が異なる複数の回折格子を配置させて絵柄として表示するものが提案されている（特許文献１）。
【０００５】
この表示体は、回折格子に対する観察者又は光源の相対的な位置が変化すると、観察者の眼に到達する回折光の波長が変化する。従って、この構成を採用すると、虹色に変化する画像を表現することができる。
【０００６】
このように回折格子を利用した表示体では、複数の溝を形成してなるレリーフ型の回折格子を使用することが一般的である。レリーフ型回折格子は、通常、フォトリソグラフィを利用して製造した原版から複製することにより得られる。
【０００７】
この特許文献１におけるレリーフ型回折格子の原版の作製方法は、一方の主面に感光性レジストを塗布した平板状の基板をＸＹステージ上に載置し、コンピュータ制御のもとにステージを移動させながら感光性レジストに電子ビームを照射することにより、感光性レジストをパターン露光する方法である。また、回折格子の原版は、二光束干渉を利用して形成することもある。
【０００８】
レリーフ型回折格子の製造方法においては、通常、まず、前述する手順に従って原版を作り、そこから電鋳等の方法で金属製のスタンパを作製する。次に、金属製スタンパを母型として用いて、レリーフ型の回折格子を複製する。具体的には、例えば、ポリエチレンテレフタレート（ＰＥＴ）やポリカーボネート（ＰＣ）からなるフィルム又はシート状の薄い透明基材上に、熱可塑性樹脂又は光硬化性樹脂を塗布する。引き続き、塗膜に金属製スタンパを密着させ、この状態で樹脂層に熱又は光を与える。樹脂が硬化した後、硬化した樹脂から金属製スタンパを剥離することにより、レリーフ型回折格子の複製物を得るものである。
【０００９】
一般に、レリーフ型回折格子は透明である。従って、通常、レリーフ構造を設けた樹脂層上には、蒸着法を用いて、アルミニウムなどの金属又は誘電体を単層又は多層に堆積させることにより、反射層を形成して表示体を得る。
【００１０】
その後、得られた表示体を、例えば紙又はプラスチックフィルムから成る基材上に接着層又は粘着層を介して貼り付けるこれにより、偽造防止対策を施した表示体を得ることができる。
【００１１】
レリーフ型回折格子を含んだ表示体の製造に使用する原版は、それ自体の製造が困難である。また、金属製スタンパから樹脂層へのレリーフ構造の転写は、高い精度で行う必要がある。よって、レリーフ型回折格子を含んだ表示体は、高い製造技術が要求される。
【００１２】
しかしながら、偽造防止対策が必要な多くの物品でレリーフ型回折格子を含んだ表示体が使用されるようになった結果、この技術が広く認知され、それに伴って、偽造品の発生も増加する傾向にある。その結果、回折光によって虹色の光を出射することのみを特徴とする表示体は、充分な偽造防止効果を達成することが難しくなってきている。
【００１３】
また、回折格子を有する表示体としては、回折格子パターンと光散乱パターンとの組み合わせにより絵柄を表示するものが提案されている（特許文献２）。この表示体は、虹色に変化する画像のみでなく、光の散乱で表現した画像も表示することができる。
【００１４】
さらに、別の回折格子を有する表示体としては、レリーフ型の回折格子パターンのように、照明の位置や観察者の位置の変化に応じて虹色に色変化することがなく、従来の回折格子とは異なる視覚効果が得られるものもある（特許文献３）。
【００１５】
従って、上記特許文献２、特許文献３に記載のディスプレイや表示体は、従来の回折格子パターンが有する虹色とは大きく異なる視覚効果を有する。ゆえに、より高い偽造防止効果を期待することができる。
【先行技術文献】
【特許文献】
【００１６】
【特許文献１】米国特許第５０５８９９２号明細書
【特許文献２】特許第２７５１７２１号公報
【特許文献３】特開２０１１−１１８０３５号公報
【発明の概要】
【発明が解決しようとする課題】
【００１７】
しかしながら、特許文献２、特許文献３に記載のディスプレイや表示体は、従来の回折格子パターンの視覚効果とは差別化できているが、観察者や光源の位置など，観察条件の変化に伴った色変化や画像変化するといった視覚効果が殆ど得られない。
【００１８】
本発明は、以上のような点に鑑みてなされたものであって、従来の回折格子とは大きく異なる視覚効果が得られ、より高い偽造防止効果及びより高い意匠性を併せ持つ画像表示体及び情報媒体を提供することを目的とする。
【課題を解決するための手段】
【００１９】
上記課題を解決するために、請求項１に対応する発明は、光透過層と、この光透過層の一方の面上に設けられ、方向の揃った複数の直線状の凹部又は凸部からなる凹凸構造を有するランダムに配置された複数の構造領域と、この複数の構造領域の少なくとも一部に設けられた光反射層とを備え、
前記凹部の底面又は凸部の上面に前記光透過層面と略平行であり、前記複数の直線状の凹部又は凸部における隣接する凹部間又は凸部間は複数の間隔を有し、
少なくとも一部の構造領域同士において、前記各構造領域内の凹凸構造の複数の間隔の平均値及び標準偏差の少なくとも一方を異ならせて、観察角度又は入射光の入射角度を変えることで異なる画像を表示可能にすることを特徴とする画像表示体である。
【００２０】
請求項２に対応する発明は、前記各構造領域内の少なくとも一部において、前記凹凸構造の凸部の高さ又は凹部の深さを異ならせることにより、入射光に対して強弱をもった色の複数の回折光を射出することを特徴とする請求項１に対応する発明に記載の画像表示体である。
【００２１】
請求項３に対応する発明は、少なくとも一部の前記構造領域同士において、前記凹凸構造の凸部の高さ又は凹部の深さの前記各構造領域における平均値を異ならせることで、入射光に対して異なる明るさ（階調）をもった回折光を射出することを特徴とする請求項２に対応する発明に記載の画像表示体である。
【００２２】
請求項４に対応する発明は、前記各構造領域内における前記凹凸構造を形成する凸部の高さ又は凹部の深さを同一にすることで、特定の色を表現する回折光を射出することを特徴とする請求項１に対応する発明に記載の画像表示体である。
【００２３】
請求項５に対応する発明は、少なくとも一部の前記構造領域同士において、前記凹凸構造を形成する凸部の高さ又は凹部の深さが異なることを特徴とする請求項４に対応する発明に記載の画像表示体である。
【００２４】
また、請求項６に対応する発明は、少なくとも一部の前記構造領域同士において、前記各構造領域に備えてある複数の直線状の凹部又は凸部の方向を異ならせて、観察角度又は入射光の入射角度を変えることで異なる画像を表示することを特徴とする請求項１乃至請求項５の何れか一項に記載の画像表示体である。
【００２５】
また、請求項７に対応する発明は、前記複数の直線状の凹部又は凸部は計算機ホログラムとしての複数の溝又は筋であることを特徴とする請求項１乃至請求項６の何れか一項に対応する発明に記載の画像表示体である。
【００２６】
さらに、請求項８に対応する発明は、前記複数の構造領域の配置によって形成される画像が複数存在する場合、個々の画像は、前記凹凸構造の間隔の平均値及び標準偏差が同一である前記複数の構造領域で構成し、別個の画像同士では、前記複数の構造領域を構成する凹凸構造の間隔の平均値又は標準偏差の少なくとも一方を異ならせることにより、異なる画像を表示することを特徴とする請求項１乃至請求項７の何れか一項に対応する発明に記載の画像表示体である。
【００２７】
さらに、請求項９に対応する発明は、請求項１乃至請求項８の何れか一項に記載された構成の画像表示体と、この画像表示体が一部の領域に支持される物品とを具備した情報媒体である。
【発明の効果】
【００２８】
本発明によれば、従来の回折格子とは大きく異なる視覚効果を有し、より高い偽造防止効果及びより高い意匠性を併せ持つ画像表示体及び情報媒体を提供することが可能となる。
【図面の簡単な説明】
【００２９】
【図１】本発明に係る画像表示体の一実施の形態を概略的に示す平面図。
【図２】図１のＡ−Ａ線に沿う画像表示体の断面図。
【図３】ピッチｄの回折格子に対する光入射角及び＋１次回折光の射出角の関係を説明する図。
【図４】本発明の実施の形態に係る構造領域の凹凸構造が射出する回折光を概略的に示す図。
【図５】本発明の実施の形態に係る構造領域を断面したときの入射光と回折光の拡がりの両方を含む平面を概略的に示す図。
【図６】本発明の実施の形態に係る構造領域を概略的に示す図。
【図７】本発明の実施の形態に係る別の構造領域を概略的に示す図。
【図８】図６に示す平面図をフーリエ変換して得られる画像を示す図。
【図９】図７に示す平面図をフーリエ変換して得られる画像を示す図。
【図１０】本発明の実施の形態に係る構造領域の凹凸構造が射出する回折光を概略的に示す図。
【図１１】本発明に係る画像表示体の一具体例を説明する図。
【図１２】本発明に係る画像表示体の別の具体例を説明する図。
【図１３】本発明に係る情報媒体の一実施の形態を概略的に示す平面図。
【発明を実施するための形態】
【００３０】
以下、本発明の実施の形態について、図面を参照しながら詳細に説明する。なお、各図において、同一または類似した機能を発揮する構成要素には全て同一の参照符号を付し、重複する説明は省略する。
【００３１】
本発明に係る画像表示体の一実施の形態について、図１及び図２を用いて説明する。
【００３２】
図１は画像表示体を概略的に示す平面図、図２は図１に示す画像表示体のＡ−Ａ線に沿った断面図である。
【００３３】
画像表示体１０は、光透過層１１と光反射層１３とを含む構成である。光透過層１１の一方の面には、例えば、構造領域１２ａ１、１２ａ２及び非構造領域１２ｂを備えている。これら構造領域１２ａ１、１２ａ２及び非構造領域１２ｂを備える面上に光反射層１３が施されている。
【００３４】
この画像表示体１０の例では、光透過層１１は、二つの構造領域１２ａ１及び１２ａ２を備えているが、構造領域は複数あればよく、二つに限定するものではない。
【００３５】
一方、光反射層１３は、構造領域１２ａ１、１２ａ２及び非構造領域１２ｂの全体を覆うように施されているが、これら構造領域１２ａ１、１２ａ２、１２ｂの少なくとも一部を覆うように施されていればよい。
【００３６】
また、各構造領域１２ａ１及び１２ａ２は、凹部のみから成っているが、実際には凸部のみから成っていてもよい。光透過層１１自体に複数の凹部が形成されているが、実際には平坦な光透過層１１の一方の面上に積層した光透過性の層に凹部又は凸部が備えてあってもよい。
【００３７】
各構造領域１２ａ１，１２ａ２内に備えてある凹部の深さは、それぞれ異なっているが、同一であってもよい。
【００３８】
光透過層１１の材料としては、例えば、ポリカーボネート樹脂、アクリル系樹脂、フッ素系アクリル樹脂、シリコーン系アクリル樹脂、エポキシアクリレート樹脂、ポリスチレン樹脂、シクロオレフィンポリマー、メチルスチレン樹脂、フルオレン樹脂、ＰＥＴ、ポリプロピレン等の光硬化性樹脂、またはアクリルニトリルスチレン共重合体樹脂、フェノール樹脂、メラミン樹脂、尿素樹脂、アルキド樹脂等の熱硬化性樹脂、またはポリプロピレン樹脂、ポリエチレンテレフタラート樹脂、ポリアセタール樹脂等の熱可塑性樹脂等が挙げられる。
【００３９】
光透過層１１の上記材料については、所望の凹凸構造を賦型して硬化させることにより、凹凸構造を成型することができる。なお、これらの樹脂材料の硬化物は何れも光透過性であり、屈折率は一般的に１．５程度である。
【００４０】
光反射層１３の材料としては、透明被膜もしくは、金属被膜等を用いることができる。透明材料の場合、光透過層１１と屈折率が異なる誘電体層、誘電体多層膜、もしくは高屈折率材料を使用する。例えば、屈折率が２．０以上であるＺｎＳ、ＴｉＯ２、ＰｂＴｉＯ２、ＺｒＯ、ＺｎＴｅ、ＰｂＣｒＯ４等が好ましい。これは、光透過層との屈折率が小さい場合、凹凸構造からの射出光の視覚効果が弱まってしまうためである。具体的には、光透過層と透明被膜との屈折率差は少なくとも０．５以上あると良い。
【００４１】
また、金属被膜である場合、クロム、ニッケル、アルミニウム、鉄、チタン、銀、金、銅の中から選択される単体又はそれらの混合物、合金等を用いることができる。
【００４２】
次に、本発明に係る画像表示体を説明するにあたり、まず、回折格子のピッチ及び照明光の波長と、照明光入射角及び回折光の射出角の関係とについて説明する。
【００４３】
照明光源を用いて回折格子に照明光を照射したとき、該回折格子から入射光である照明光の進行方向に対応して特定の方向に強い回折光を射出する。
【００４４】
今、ｍ次回折光（ｍ＝０、±１、±２、・・・）の射出角をβとすると、回折格子の格子線に垂直な面内で光が進行する場合、ｍ次回折光の射出角βは次の式１から算出することができる。  
ｄ＝ｍλ（ｓｉｎα−ｓｉｎβ）                  ………（式１）
この式１において、ｄは回折格子の格子定数（格子周期、ピッチ）、ｍは回折次数、λは入射光及び回折光の波長を表している。また、αは０次回折光、即ち、正反射光ＲＬの射出角を表している。換言すれば、αの絶対値は照明光の入射角と等しく、反射型回折格子の場合には、照明光の入射方向と正反射光の射出方向とは、回折格子が設けられた界面の法線ＮＬに関して対称である。
【００４５】
なお、回折格子が反射型である場合、角度αは、０°以上であり、且つ、９０°未満である。また、回折格子が設けられた界面に対して斜め方向から照明光を照射し、法線方向の角度、即ち０°を境界値とする２つの角度範囲を考えると、角度βは、回折光の射出方向と正反射光の射出方向とが同じ角度範囲内にあるときには正の値であり、回折光の射出方向と照明光の入射方向とは同じ角度範囲内にあるときには負の値である。
【００４６】
図３はピッチｄの回折格子における照明光入射角及び＋１次回折光の射出角の関係を示す図である。
【００４７】
ここで、照明光が複数の波長成分を含む白色光である場合、回折光の射出角は波長によって異なる。そのため、太陽や蛍光灯などの白色照明光源下で回折格子を観察すると、白色光が分光し、単一波長の光が別々の角度に射出され、観察する角度によって虹色に見える。
【００４８】
図３では、点光源ＬＳから白色光ＩＬ（ここでは、白色光を構成する波長成分はＲ、Ｇ、Ｂの３波長であると仮定する）の照射光を回折格子ＧＲに入射したとき、回折格子ＧＲから波長成分Ｒの回折光ＤＬｒ、波長成分Ｇの回折光ＤＬｇ、波長成分Ｂの回折光ＤＬｂに分光して射出している様子を表している。このとき、波長成分Ｒの回折光ＤＬｒの射出角度βｒと、波長成分Ｇの回折光ＤＬｇの射出角βｇと、波長成分Ｂの回折光ＤＬｂの射出角βｂはそれぞれ異なる値となる。なお、図３では、説明の便宜上、波長成分Ｒの回折光ＤＬｒの射出角βｒのみを図示してある。他の次数の回折光については、式１から導出される角度に射出されるが、図３への記載は省略している。
【００４９】
次に、回折格子のピッチ及び照明光の波長と、回折光の射出角方向における回折光の強度（回折効率）との関係について説明する。
【００５０】
ピッチｄの回折格子に対して、入射角αで照明光を入射したとき、式１に基づいて角度βの方向に回折光が射出される。この際、波長λの光の射出強度、すなわち回折効率ηは、回折格子のピッチや高さ等によって変化し、下記式２から導出することができる。
【００５１】
η＝（２／π）2ｓｉｎ2｛（２π／λ）・（ｒ／ｃｏｓθ）｝ｓｉｎ2｛（π／ｄ）Ｌ｝  
………（式２）
式２において、ηは回折効率（０乃至１の値をとる）、ｒは回折格子の高さ、Ｌは回折格子の格子線幅、ｄは格子線のピッチ、θは照明光の入射角、λは入射光及び回折光の波長である。なお、式２は、凹凸構造から成る矩形回折格子について成り立つものである。
【００５２】
この式２から明らかなように、回折効率ηは、回折格子の高さｒ、格子線のピッチｄ、入射光の入射角θや波長λなどによって変化する。また、回折効率ηは、実際には回折次数ｍが高次になるのに伴って徐々に減少していく傾向にある。
【００５３】
次に、本発明に係る画像表示体を観察した際の視覚効果について説明する。
【００５４】
まず、構造領域１２ａ１、１２ａ２の凹部の深さ又は凸部の高さは、前述したように、各構造領域内で同一であっても良く、異なっていても良い。
【００５５】
そこで、各構造領域１２ａ１、１２ａ２内において、凹部の深さ又は凸部の高さが同一である場合の視覚効果について説明する。なお、構造領域１２ａ１、１２ａ２が備える構造は凹部であっても良く、凸部であっても良いが、以降、説明を簡略化するために凹凸構造に備えてある構造は凹部であるとする。
【００５６】
今、矩形の凹凸構造に光を入射すると、凹凸構造からは回折光が射出される。このとき、その凹凸構造における屈折率をｎ、構造の深さをｐ、入射光の波長をλとする。
【００５７】
入射光の入射角をθとすると、凹凸構造内部では、凹部に入射した光と凹部以外の平坦部に入射した光との間に光路差２ｐｃｏｓθが生じる。ゆえに、凹部に入射した光と凹部以外の平坦部に入射した光の位相差は、４πｎｐｃｏｓθ／λとなる。
【００５８】
ここで、位相差が２πの整数倍であれば、凹部に入射した光と凹部以外の平坦部に入射した光の双方の位相が揃うため、光の干渉によって正反射光が強くなり、回折されて射出する光の強度は弱くなる。
【００５９】
一方、位相差がπの奇数倍の場合、正反射光が弱くなり、回折されて射出する光の強度は強くなる。
【００６０】
すなわち、射出光の回折効率は、凹凸構造の深さｐ、入射光の入射角θ、入射光の波長λによって異なってくる。つまり、凹凸構造の深さｐ、入射光の入射角θが同一であっても、入射光の波長λに応じて回折効率は異なる。
【００６１】
ところで、回折格子は構造同士の間隔が一定である一方で、本発明に係る画像表示体では、凹凸構造の構造同士の間隔の値に複数ある。ゆえに、回折格子から射出される回折光は、式１に示すように、その波長により射出角度が大きく異なる一方で、本発明に係る画像表示体から射出される回折光は、何れの波長においても射出角度がある一定の角度範囲を有することとなる。
【００６２】
ゆえに、本発明に係る画像表示体は、太陽光や蛍光灯等の複数の波長成分を含む光を入射すると、何れの波長成分も、その波長に応じたある一定の角度範囲に回折光を射出する。その際、射出する回折光の回折効率は前記したように波長に応じて異なっている。
【００６３】
そのため、本発明に係る画像表示体は、太陽光や蛍光灯等の複数の波長成分を含む光源から光の入射を受けると、観察者がある特定の角度で観察することができる。この際、観察者の観察角度において複数の波長成分の射出光が射出されているとすると、観察者は複数の波長成分の回折光を知覚することとなる。すなわち、観察者が知覚する色は複数の波長成分の光の混色となる。
【００６４】
前記したように、射出する回折光の回折効率は、凹凸構造の深さｐ、入射光の入射角θによって異なってくる。ここで、本発明に係る画像表示体は、凹凸構造の構造同士の間隔の値は複数あるため、観察者が知覚する色は複数の波長成分の光の混色となっている。ゆえに、観察者が知覚する色は、入射光の入射角や観察者の観察角度に応じて変化するものの、通常の回折格子のように大きく変化せず、緩やかな変化となる。一方、観察者が知覚する色は複数の波長成分の光の混色であるため、波長成分それぞれの回折効率の違いによって観察者が観察する光の波長分布が大きく変化する。
【００６５】
ゆえに、本発明に係る画像表示体では、太陽光や蛍光灯等の複数の波長成分を含む光が入射した状態で観察すると、凹凸構造の深さｐに応じた色を知覚することができ、また、入射光や観察の角度を変化させても、回折格子のように大きく色変化することのない視覚効果を得ることができる。
【００６６】
図４は本発明の実施の形態に係る構造領域の凹凸構造が射出する回折光を概略的に示す図である。
【００６７】
構造領域１２ａ（１２ａ１，１２ａ２）はＸＹ平面に平行な面で形成されている。この構造領域１２ａに入射光ＩＬλが入射するものとする。入射光ＩＬλは、ある単一の波長λから成っており、構造領域１２ａに対して垂直方向、すなわちＺ軸に平行な方向で入射している。
【００６８】
このとき、構造領域１２ａはＹ軸に平行な直線状の凹凸構造となっている。そのため、構造領域１２ａが射出する回折光は、入射光ＩＬλを含みＺＸ平面に平行な面内においてのみ拡がりを持って射出する。射出する回折光ＤＬλは、入射光ＩＬλを含みＺＸ平面に平行な面内においてγλの拡がりを持って射出している。
【００６９】
この図４の例は、射出する回折光ＤＬλは２つの方向に向けて描かれているが、実際には２方向のみに回折光が射出するのではなく、回折光は角度範囲γλの拡がりを持って射出される。
【００７０】
図５は本発明の実施の形態に係る構造領域を断面したときの入射光と回折光の拡がりの両方を含む平面を概略的に説明する断面図である。
【００７１】
図４の例で説明したように、構造領域１２ａから射出する回折光は、入射光を含みＺＸ平面に平行な面内において拡がりを持って射出する。しかし、図４では、ＸＹＺ空間上に概略図で示したものの、入射光と射出光との関係を概略的に示すためには、ＺＸ平面に平行であり、かつ入射光を含む面内における入射光、射出光の振る舞いを示してあれば充分である。
【００７２】
よって、図５は、入射光と回折光の拡がりの両方を含む平面を、構造領域１２ａの断面と合わせて図示したものである。
【００７３】
しかし、図５に示す入射光ＩＬは、図４とは異なって白色光であり、その入射光ＩＬの波長成分はＲ、Ｇ、Ｂであるとする。
【００７４】
従って、本発明に係る画像表示体の構造領域１２ａから射出する回折光は、それぞれある一定の角度範囲を有して射出しており、波長成分Ｒは角度範囲γｒを有する回折光ＤＬｒを、波長成分Ｇは角度範囲γｇを有する回折光ＤＬｇを、波長成分Ｂは角度範囲γｂを有する回折光ＤＬｂを射出している。
【００７５】
そこで、観察者２０は、観察方向２１から構造領域１２ａ内の凹凸構造を観察したとすると、当該凹凸構造から射出する回折光ＤＬｒ、ＤＬｇ、ＤＬｂの混色からなる色を知覚することになる。
【００７６】
ここで、例えば、構造領域１２ａ内の凹凸構造の深さがある値のとき、回折光ＤＬｒ、ＤＬｇの回折効率に対して、回折光ＤＬｂの回折効率が小さい場合、観察者２０が知覚する色はＹ（イエロー）となる。また、構造領域１２ａ内の凹凸構造が別の深さのとき、回折光ＤＬｇ、ＤＬｂの回折効率に対して回折光ＤＬｒの回折効率が小さい場合、観察者２０が知覚する色はＣ（シアン）となる。
【００７７】
このように、凹凸構造の深さを変えることで、観察者２０が知覚する色を変えることが可能となる。
【００７８】
ここまでは、構造領域１２ａの断面形状が矩形形状を例に上げて説明したが、実際には必ずしも矩形である必要はないが、以下の理由から矩形形状の方が好ましい。
【００７９】
すなわち、所望の凹凸構造以外の意図していない凸凹であったり、凹凸構造の平坦部と凹部が滑らかに接続されている場合、凹凸構造の深さに応じて波長ごとの回折効率が異なることによって特定の色を表現する効果が弱くなってしまうためである。ゆえに、凹凸構造の断面形状は矩形形状であることが好ましい。
【００８０】
また、各構造領域１２ａ内の凹凸構造の深さを同一とすることによって、凹凸構造の深さに応じて特定の色を表現する効果をより有効に発現することができる。この場合、１つの構造領域１２ａ全体で、ある単色（実際には、波長毎に回折効率が異なることにより、その結果、ある特定の分光特性を持つ光となることによって色を表現しているが、観察者が知覚するのはある特定の色となるため、単色と表現している）を表現することになる。
【００８１】
よって、構造領域１２ａごとに凹凸構造の深さを異なるようにすれば、構造領域１２ａそれぞれが異なる単色を表現することが可能となる。このように構造領域１２ａごとに異なる色を表現することにより、各構造領域１２ａが画像の画素に相当することになり、全体として多色の画像を表示することが可能となる。
【００８２】
これまでは、各構造領域１２ａ内の凹凸構造の深さが同一である場合を例に上げて説明してきたが、本発明の凹凸構造の深さは、各構造領域１２ａ内で同一であっても良く、異なっていても良い。
【００８３】
構造領域１２内に複数の構造深さがある場合、凹凸構造の深さに応じて特定の色を表現する効果が弱くなる。なぜならば、凹凸構造の深さに応じて特定の波長成分が強く、又は弱くなることによって単色を表現するため、構造深さが複数ある場合には、特定の波長成分を強く、又は弱くすることが困難となるためである。
【００８４】
構造領域１２ａ内に複数の構造深さがある場合、なだらかな波長分布を有する単色、すなわち、白色、灰色等の無彩色を表現することが可能となる。
【００８５】
また、回折効率は、各構造領域１２ａ内に複数の構造深さがある場合、その構造深さが全体的に浅く、又は深く、すなわち、各構造領域１２ａの構造深さの平均値が小さく、又は大きくなることにより変化する。
【００８６】
ゆえに、凹凸構造から射出される回折光の射出角度範囲が同一である構造領域同士において、構造深さの平均値が異なっていれば、それぞれの構造領域１２ａを異なる明るさで表現できる。このように、各構造領域１２ａ内に複数の構造深さがある場合、構造領域１２ａごとに異なる明るさを表現することによって、階調豊かな画像を表示することが可能となる。
【００８７】
次に、各構造領域１２ａ内の凹凸構造での隣接する凹部同士の間隔について説明する。
【００８８】
図６は本発明の実施の形態に係る構造領域を概略的に示す平面図である。なお、同図において、黒色部が凹部１４を表しているが、実際には白色部が凹部であってもよい。ここでは、黒色部が凹部１４を表すものとし、以降の説明でも同様とする。
【００８９】
図６（ａ）及び図６（ｂ）は、何れもＹ軸に平行な直線状の凹部１４が複数の間隔の値を有するように配置されている。ゆえに、図６（ａ）や図６（ｂ）に示す凹凸構造に入射光が入射すると、入射光を含みかつＺＸ平面に平行な面内で拡がりを持つ回折光が射出される。
【００９０】
図７は本発明の実施の形態に係る別の構造領域を概略的に示す平面図である。  
図７（ａ）に示す凹凸構造は、Ｙ軸に平行な直線状の凹部１４がランダムな間隔で配置されている。図６（ａ）及び図６（ｂ）では、全ての凹部１４が同一の長さとなっているが、図７（ａ）に示す凹凸構造における凹部１４は隣接する凹部同士の長さが異なっている。
【００９１】
図７（ｂ）に示す凹凸構造は、図６（ａ）、図６（ｂ）及び図７（ａ）に示す凹凸構造と比較すると、凹部１４の形状の配向性が低い。しかし、各凹部１４は概ねＹ軸に平行な直線状の構造として捉えることができる。
【００９２】
従って、図７（ａ）及び図７（ｂ）に示す凹凸構造は、Ｙ軸に概ね平行な直線状の凹部１４が複数の間隔の値を有して配置されている。よって、これらの凹凸構造も本発明の一実施の形態に含めることができる。
【００９３】
図８、図９は、それぞれ図６、図７に示す平面図をフーリエ変換して得られた図である。
【００９４】
図８（ａ）は図６（ａ）を、図８（ｂ）は図６（ｂ）を、図９（ａ）は図７（ａ）を、図９（ｂ）は図７（ｂ）をそれぞれフーリエ変換して得られた図である。
【００９５】
ここで、フーリエ変換して得られた図は、光学的には、フーリエ変換前の凹凸構造から射出するフラウンホーファー回折の回折光分布を示している。この点を踏まえると、図６及び図７に示す凹凸構造は、図８及び図９からも明らかなように、いずれも指向性を持った回折光を射出することがわかる。
【００９６】
ところで、図７に示す凹凸構造から射出される回折光は、図８に示すように、何れもＸ軸方向の指向性を有する分布となっていることがわかる
しかし、図８（ａ）と図８（ｂ）を比較すると、それぞれ分布の範囲が異なっていることがわかる。
【００９７】
図１０は本発明の実施の形態に係る構造領域の凹凸構造が射出する回折光を概略的に示す図である。
【００９８】
図１０（ａ）における構造領域１２ａａは、Ｘ軸に平行な面で形成してあり、Ｙ軸に平行な直線状の凹凸構造から成る。入射光ＩＬλは単一の波長λから成り、構造領域１２ａａに対して垂直方向、すなわちＺ軸に平行な方向で入射している。入射光の波長は単一でも良く、複数でも良いが、ここでは説明を簡略化するために単一の波長とする。
【００９９】
射出する回折光ＤＬλａは、ＸＺ平面においてγλａの拡がりを持って射出している。
【０１００】
図１０（ａ）に示す例では、構造領域１２ａａから射出する回折光ＤＬλａは４つ描かれているが、実際には４方向のみに回折光が射出するのではなく、γλａの範囲を有して射出している。
【０１０１】
ここで、観察者２０ａは、観察方向２１から凹凸構造１２ａａを観察すると、回折光ＤＬλａを知覚し、波長λに対応する色を観察することが出来る。
【０１０２】
また、図１０（ｂ）における構造領域１２ａｂは、Ｘ軸に平行な面で形成してあり、Ｙ軸に平行な直線状の凹凸構造から成る。入射光ＩＬλは、図１０（ａ）と同様に単一の波長λから成っており、構造領域１２ａｂに対して垂直方向、すなわちＺ軸に平行な方向で入射している。入射光の波長は単一でも良く、複数でも良いが、ここでは説明を簡略化するために単一の波長とする。
【０１０３】
射出する回折光ＤＬλｂは、ＸＺ平面においてγλｂの拡がりを持って射出している。
【０１０４】
図１０（ｂ）に示す例は、構造領域１２ａｂから射出する回折光ＤＬλｂは４つ描かれているが、実際には４方向のみに回折光が射出するのではなく、γλｂの範囲を有して射出している。
【０１０５】
ここで、観察者２０ｂは観察方向２１から凹凸構造１２ａｂを観察すると、回折光ＤＬλｂを知覚することは出来ない。但し、図１０（ａ）及び図１０（ｂ）とも、観察方向２１が入射光ＩＬλと成す角度は同一であるとする。
【０１０６】
つまり、本発明の実施の形態における凹凸構造を観察したとき、入射光の波長分布、入射角度や観察者の観察角度が同一の条件であっても、回折光を観察できる場合と観察できない場合の両方があり得る。要するに、観察者が回折光を観察できるか否かは、それぞれの回折光ＤＬλａ、ＤＬλｂの射出する範囲γλａ、γλｂによって決定される。
【０１０７】
ここで、回折光の射出範囲は、前述する式１から、回折格子の格子定数ｄと入射光及び回折光の波長λによって決まることがわかる。
【０１０８】
本発明において適用される凹凸構造は、通常の回折格子のような固有のピッチを有しておらず、凹凸構造の間隔は複数の値を有している。言い換えれば、本発明において適用される凹凸構造は、複数の間隔を有しているものと言える。ゆえに、凹凸構造の間隔（以下、ピッチと呼ぶ）が全体的に大きいほど、回折光の射出範囲は入射光の入射角度により近い値となり、全体的に小さいほど、回折光の射出範囲が入射光の入射角と成す角度はより大きくなる。ここで、特にピッチの平均値及び標準偏差は回折光の射出範囲の中心位置や拡がりに寄与するため、重要な因子となることがわかる。
【０１０９】
ゆえに、本発明によれば、少なくとも一部の構造領域同士において、各構造領域内の凹凸構造の複数の間隔の平均値及び標準偏差の少なくとも一方を異ならせることにより、観察角度又は入射光の入射角度を変えることで異なる画像を表示することができる画像表示体を提供することが可能となる。
【０１１０】
また、この画像表示体が表示する色は、前述したように、一般的な回折格子とは大きく異なる視覚効果を有するため、画像表示体としては高い偽造防止効果を有する。
【０１１１】
図１１は、本発明に係る画像表示体のさらに他の実施の形態を概略的に示す平面図である。
【０１１２】
この画像表示体１０は、複数の構造領域１２ａ３、１２ａ４と非構造領域１２ｂとを備えている。ここで、それぞれの構造領域１２ａ３、１２ａ４から射出する回折光の射出範囲は異なっており、双方の回折光を同時に観察できる観察条件（入射光の入射角度及び観察者の観察角度）は無いとする。
【０１１３】
このとき、観察者は、マトリクス状に配置された複数の構造領域の配置の形状から、ある観察角度においてアルファベットの「Ｐ」を観察することができ、また、異なる観察角度においてアルファベットの「Ｉ」を観察することができる。
【０１１４】
図１１に示す例では、例えばアルファベット「Ｐ」に着目すると、アルファベット「Ｐ」は複数の構造領域１２ａ３で構成されている。しかし、必ずしも構成する全ての構造領域の凹凸構造が同一のパターンである必要は無く、構成する全ての構造領域の凹凸構造からの射出光の射出範囲が同一であればよい。
【０１１５】
ゆえに、本発明によれば、個々の画像は、ピッチの平均値及び標準偏差が同一である複数の構造領域で構成されており、かつ、別個の画像同士ではピッチの平均値又は標準偏差の少なくとも一方が異なることにより、異なる画像を表示可能な画像表示体を提供することが可能となる。このとき、各構造領域が画像の画素に相当することで複雑な画像を表示することができる。また、同一の領域において異なる画像を表示することが可能となる。
【０１１６】
図１２は本発明に係る画像表示体のさらに他の実施形態を概略的に示す平面図である。
【０１１７】
この画像表示体１０は、構造領域１２ａ５、１２ａ６及び非構造領域１２ｂとを備えている。構造領域１２ａ５、１２ａ６を構成する凹凸構造は、それぞれＸ軸、Ｙ軸に平行な直線状の構造から成る。ゆえに、例えば、Ｚ軸に平行な向きの入射光が入射した場合、構造領域１２ａ５、１２ａ６から射出する回折光は、それぞれＹＺ平面、ＺＸ平面に平行な方向へ射出する。
【０１１８】
一方、図１に示す画像表示体１０の場合、構造領域１２ａ１及び１２ａ２を構成する凹凸構造は、何れもＹ軸に平行な直線状の構造から成る。ゆえに、Ｚ軸に平行な入射光を入射した場合、構造領域１２ａ１及び１２ａ２から射出する回折光は何れも、ＺＸ平面に平行な方向へ射出する。そのため、複数の構造領域１２ａ１、１２ａ２を用いて別個の画像を表示する場合、それぞれの画像を観察できる角度範囲は何れもある同一の平面上における異なる角度範囲となる。
【０１１９】
よって、本発明によれば、少なくとも一部の構造領域同士において、各構造領域に備えてある複数の直線状の凹部又は凸部の方向を異ならせることにより、観察角度又は入射光の入射角度を変えることで異なる画像を表示することができる画像表示体を提供することが可能となる。この場合、前述したように、ある平面内において観察角度や画像表示体の向き、入射光の入射角度を変えるのみでなく、例えば画像表示体や入射光の入射角度をＸＹＺ空間における任意の角度とすることによって表示画像を変えることが可能となり、より複雑な視覚効果を有する画像表示体を提供することが可能となる。
【０１２０】
本発明に係る凹凸構造のパターンは、例えば計算機ホログラムの手法で設計することができる。計算機ホログラムは、ランダムな位相を有した回折構造を有している。このような構造を採用することにより、回折光の射出範囲をより高精度に制御することが可能となるため、より高品位な画像表示体を提供することが可能となる。
【０１２１】
図１３は本発明に係る情報媒体の一実施の形態を概略的に示す平面図である。
【０１２２】
情報媒体５０は、磁気カードであって、基材５１を含んでいる。基材５１は、例えばプラスチックから成る。基材５１には印刷層５２と帯状の磁気記録層５３とが形成されている。更に、基材５１には画像表示体１０が偽造防止用又は個人識別用ラベルとして貼り付けられている。
【０１２３】
ここで、この情報媒体５０は画像表示体１０を含んでいる。ゆえに、この情報媒体の偽造又は模造は困難である。
【０１２４】
その他、本発明は、上記実施の形態に限定されるものでなく、その要旨を逸脱しない範囲で種々変形して実施できる。
【０１２５】
さらに、上記実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【符号の説明】
【０１２６】
１０…画像表示体、１１…光透過層、１２ａ、１２ａ１、１２ａ２、１２ａ３、１２ａ４、１２ａ５、１２ａ６、１２ａａ、１２ａｂ…構造領域、１２ｂ…非構造領域、１３…光反射層、１４…凹部、２０、２０ａ、２０ｂ…観察者、２１…観察方向、２２ａ、２２ｂ、２２ｃ、２２ｄ…フーリエ変換画像、５０…情報媒体、５１…基材、５２…印刷層、
５３…磁気記録層、α…入射角、β…射出角、βｒ…波長成分Ｒの回折光の射出角、βｇ…波長成分Ｇの回折光の射出角、βｂ…波長成分Ｂの回折光の射出角、γλ、γλａ、γλｂ…回折光の射出角の範囲、ｄ…凹凸構造の間隔、ＤＬｒ…波長成分Ｒの回折光、ＤＬｇ…波長成分Ｇの回折光、ＤＬｂ…波長成分Ｂの回折光、ＤＬλ、ＤＬλａ、ＤＬλｂ…波長λの回折光、ＧＲ…回折格子、ＩＬ…入射光、ＩＬλ…単一の波長λからなる入射光、ＬＳ…光源、ＮＬ…法線、ｒ…回折格子の高さ、ＲＬ…０次回折光。
【図１】
2013205640.tif 000003
【図２】
2013205640.tif 000004
【図３】
2013205640.tif 000005
【図４】
2013205640.tif 000006
【図５】
2013205640.tif 000007
【図６】
2013205640.tif 000008
【図７】
2013205640.tif 000009
【図８】
2013205640.tif 000010
【図９】
2013205640.tif 000011
【図１０】
2013205640.tif 000012
【図１１】
2013205640.tif 000013
【図１２】
2013205640.tif 000014
【図１３】
2013205640.tif 000015